(57)【要約】航空機用翼(1)は、前縁スラット(5)を含み、前縁スラットは、本体部(7)と、本体部(7)の翼幅方向の端部に配置されたスラット延長部(9)とを含む。スラット延長部(9)の断面積は、本体部(7)の断面積よりも小さい。これによって、前縁スラット(5)が取り付けられる航空機用翼(1)の前縁部分の容積を比較的大きくしつつ、前縁スラットによるある程度の空気力学上の利点を得ることができる。スラット延長部の翼弦長及び翼厚比は、前縁スラットの対応する寸法よりも小さいものであってもよい。
2009528220.tif 000002
【特許請求の範囲】
【請求項１】
前縁スラットを含む航空機用翼であって、前記前縁スラットは、本体部と、該本体部の翼幅方向の端部に配置されたスラット延長部とを含み、翼弦を含む第１垂直面内の前記スラット延長部の断面積は、翼弦を含む第２垂直面内の前記本体部の断面積よりも小さいことを特徴とする航空機用翼。
【請求項２】
前記スラット延長部の断面積は、前記本体部の断面積の６０％よりも小さいことを特徴とする請求項１に記載の航空機用翼。
【請求項３】
前記スラット延長部の断面積は、前記本体部の断面積の４０％よりも小さいことを特徴とする請求項２に記載の航空機用翼。
【請求項４】
前記スラット延長部の断面積は、前記本体部の断面積の５％よりも大きいことを特徴とする請求項１から３のいずれか１項に記載の航空機用翼。
【請求項５】
前記スラット延長部は、該スラット延長部の略全長に沿って略一定の断面積を有することを特徴とする請求項１から４のいずれか１項に記載の航空機用翼。
【請求項６】
前記スラット延長部及び前記本体部は接合部で当接し、前記前縁スラットの断面積は前記接合部にわたって急激に変化することを特徴とする請求項１から５のいずれか１項に記載の航空機用翼。
【請求項７】
前記スラット延長部は、前記本体部へ延びるブレンド領域を含み、該ブレンド領域の翼弦を含む垂直面内の断面積は、前記ブレンド領域にわたって滑らかに変化することを特徴とする請求項１から５のいずれか１項に記載の航空機用翼。
【請求項８】
前記スラット延長部の平均翼弦長は、前記本体部の平均翼弦長よりも小さいことを特徴とする請求項１から７のいずれか１項に記載の航空機用翼。
【請求項９】
前記スラット延長部の平均翼弦長は、前記本体部の平均翼弦長の６０％よりも小さいことを特徴とする請求項８に記載の航空機用翼。
【請求項１０】
前記スラット延長部の平均翼弦長は、前記本体部の平均翼弦長の４０％よりも小さいことを特徴とする請求項９に記載の航空機用翼。
【請求項１１】
前記スラット延長部の平均翼厚は、前記本体部の平均翼厚よりも小さいことを特徴とする請求項１から１０のいずれか１項に記載の航空機用翼。
【請求項１２】
前記スラット延長部の平均翼厚比は、前記本体部の平均翼厚比の８０％と１５０％の間であることを特徴とする請求項１１に記載の航空機用翼。
【請求項１３】
前記スラット延長部の前縁の外形は、前記本体部の前縁の外形の少なくとも一部に相当することを特徴とする請求項１から１２のいずれか１項に記載の航空機用翼。
【請求項１４】
前記スラット延長部の前縁の外形の少なくとも一部は、前記本体部の前縁の外形の少なくとも一部と連続することを特徴とする請求項１３に記載の航空機用翼。
【請求項１５】
前記航空機用翼は、エンジン支柱をさらに含み、前記スラット延長部は、前記本体部の前記エンジン支柱に最も近接する翼幅方向の端部に配置されることを特徴とする請求項１から１３のいずれか１項に記載の航空機用翼。
【請求項１６】
請求項１から１５のいずれか１項に記載の航空機用翼で使用するための前縁スラット。
【請求項１７】
前方領域の少なくとも一部が、請求項１６に記載の前縁スラットを受け入れて補完する形状を有することを特徴とする航空機用翼。
【請求項１８】
前記前方領域の少なくとも一部は第１及び第２領域を含み、前記第１領域は、前記前縁スラットが前記航空機用翼に取り付けられたときに前記前縁スラットの本体部を補完する形状を有し、前記第２領域は、前記前縁スラットが前記航空機用翼に取り付けられたときに前記前縁スラットのスラット延長部を補完する形状を有しており、前記第２領域は、前記第１領域よりも突出することを特徴とする請求項１７に記載の航空機用翼。
【請求項１９】
請求項１から１５、１７、１８のいずれか１項に記載の航空機用翼を含む航空機。
【発明の詳細な説明】
【技術分野】
【０００１】
本発明は、航空機用翼のための前縁スラット、このようなスラットを使用した又はこのようなスラットを含む航空機用翼、及び、このような翼を含む航空機に関する。
【背景技術】
【０００２】
航空機用翼の前縁スラットは、空気力学上有利であることが知られている。特に、前縁スラットは、翼上での失速の開始を遅延させることによって、前縁スラットを使用しなければ達成できない高迎角での飛行を可能にするものである。したがって、多くの航空機用翼にとって、翼に沿って可能な限りの長さに延在する前縁スラットを有することが望ましい。
【０００３】
翼のスラットが取り付けられる部分は、スラットに適合させるために相当の凹部とすることが多い。これによって、前縁スラットの翼幅方向の長さは、例えば、凹部に適合させることができない他の構造要素の存在、または、大きな格納スペースを要する航空機のシステム（例えば、除氷装置、油圧系統、及び／又は電気系統）を翼の前縁部に収納する必要性によって制限される。翼の、比較的大きな凹部、ひいてはスラットに適合させることができない部分は、翼の他の部分と比較して、初期フロー(premature flow)の劣化及び失速が発生し易い性質を有する。
【０００４】
スラットの端面の形状は、特に後退翼の場合には、使用時にスラットの端面を囲む翼構造物の大きさによっても制限される。これによって、スラットの端面の形状が、期待通りの空気力学的有利性を有するものとはならない可能性がある。
【発明の開示】
【発明が解決しようとする課題】
【０００５】
本発明は、上述した問題の少なくとも１つを軽減または解消することを目的とする。本発明の他の目的または追加の目的は、改善された前縁スラットを提供することである。
【課題を解決するための手段】
【０００６】
本発明は、前縁スラットを含む航空機用翼であって、前縁スラットは、本体部と、本体部の翼幅方向の端部に配置されたスラット延長部とを含み、翼弦を含む第１垂直面内のスラット延長部の断面積は、翼弦を含む第２垂直面内の本体部の断面積よりも小さいことを特徴とする。本発明に係るスラット延長部は、翼のスラット延長部の背後の領域の容積を比較的大きくすることを可能にしつつ、スラットが有する空気力学上の利点を少なくともある程度備えるものである。したがって、本発明に係る前縁スラットは、例えば、航空機の様々なシステムを翼内に収納する能力を損なうことなく、翼に沿った長さを従来の前縁スラットよりも延長することができる。それに加えて、あるいは、その代わりに、本発明に係る前縁スラットは、例えばエンジン支柱のような翼上の特定の構造要素に対して、従来の前縁スラットよりも近接するように延長することができる。
【０００７】
スラット延長部の断面積は、本体部の断面積の８０％よりも小さいものであってもよく、より好ましくは６０％よりも小さいものでも、さらに好ましくは５０％よりも小さいものであってもよい。スラット延長部の断面積は、本体部の断面積の４０％よりも小さいものであってもよく、特定の実施形態において、３０％よりも小さいものであってもよい。あるいは、スラット延長部の断面積は、本体部の断面積の２０％よりも小さいものであってもよく、１０％よりも小さいものであってもよい。ここで、本明細書において、断面という用語（および、これから派生する用語）は、特に明記しない限り、航空機の翼弦を含む垂直面内の断面を意味する。
【０００８】
スラット延長部の断面積は、本体部の断面積の２％よりも大きいものであってもよく、より好ましくは５％よりも大きいものであってもよい。特定の実施形態において、スラット延長部の断面積は、本体部の断面積の１０％よりも大きいものであってもよい。
【０００９】
スラット延長部と本体部は接合部で当接し、前縁スラットの断面積は接合部にわたって急激に変化するものであってもよい。前縁スラットの断面積の急激な変化とは、翼に沿った翼幅の０．１％の距離内における断面積の変化が２０％を超える場合、より好ましくは３０％を超える場合、さらに好ましくは５０％を超える場合をいう。
【００１０】
スラット延長部は、その略全長に沿って略一定の断面積を有するものであってもよく、より好ましくは、略一定の断面形状を有するものであってもよい。本体部は、その略全長に沿って略一定の断面積を有するものであってもよく、より好ましくは、略一定の断面形状を有するものであってもよい。勿論、スラット延長部と本体部の断面形状がそれぞれ略一定の場合、スラット延長部と本体部との間の断面積の変化は急激なものとなる。
【００１１】
スラット延長部は、本体部にブレンドされるものであってもよい。すなわち、スラット延長部は、本体部へ延びるブレンド領域を含み、このブレンド領域の翼弦を含む垂直面内の断面積は、ブレンド領域にわたって滑らかに変化するものであってもよい。あるいは、本体部が、スラット延長部へ延びるブレンド領域を含み、このブレンド領域の翼弦を含む垂直面内の断面積は、ブレンド領域にわたって滑らかに変化するものであってもよい。ここで、ある領域にわたって断面積が滑らかに変化するとは、その領域内に、翼に沿った翼幅の０．０２％の距離内における前縁スラットの断面積の変化が５％を超える部分がない場合、より好ましくは３％を超える部分がない場合、さらに好ましくは２％を超える部分がない場合を意味する。
【００１２】
スラット延長部の断面の外形は、本体部の断面の外形と大きく異なるものであってもよい。しかし、本発明の特定の実施形態において、スラット延長部の断面と本体部の断面とは類似している（但し、勿論、その大きさは異なる）ものである。
【００１３】
スラット延長部の前縁の外形は、本体部の前縁の外形の少なくとも一部に相当するものであってもよい。あるいは、スラット延長部の前縁の外形の一部のみ、例えば８０％のみまたは５０％のみが、本体部の前縁の外形の一部に相当するものであってもよい。ここで、前縁の外形とは、前縁スラットの、使用時に自由空気流に曝される面の外形を意味する。略同一の前縁外形を有することによって、前縁スラットの長さに沿って、空気力学的に有利な構造、及び、好ましくは空気力学的に最適な構造を備えることができる。
【００１４】
それに加えて、あるいは、その代わりに、スラット延長部の前縁の外形の少なくとも一部は、本体部の前縁の外形の少なくとも一部と連続するものであってもよい。連続する外形を有することによって、前縁スラットの外形がその長さに沿って滑らかとなり、空気力学的に有利なものとなる。
【００１５】
スラット延長部、好ましくは前縁スラットは背面を含み、この背面は、前方にスラット延長部、好ましくは前縁スラットが取り付けられる航空機用翼の一部の外形を補完するものであってもよい。スラット延長部の背面は、本体部の背面の前方に位置するものであってもよい。したがって、スラット延長部の背面は、本体部の背面と連続している必要はない。
【００１６】
スラット延長部の平均翼弦長は、本体部の平均翼弦長よりも小さいものであってもよい。スラット延長部の平均翼弦長は、本体部の平均翼弦長の８０％よりも小さいものであってもよく、より好ましくは、６０％よりも小さいものであってもよい。特定の実施形態において、スラット延長部の平均翼弦長は、本体部の平均翼弦長の４０％よりも小さいものであってもよく、または３０％よりも小さいものであってもよい。通常、前縁スラット及び／又はスラット延長部の翼弦は、当業者には容易に識別可能である。但し、これが不明の場合には、翼弦を、前縁スラット／スラット延長部の後縁と前縁スラット／スラット延長部の前縁上の特定の点を結ぶ仮想線であって、その特定の点における翼型(aerofoil)の接線がスラット／スラット延長部の翼弦に対して垂直であるものとして定義することができる。
【００１７】
スラット延長部の平均翼厚は、本体部の平均翼厚よりも小さいものであってもよい。スラット延長部の平均翼厚は、本体部の平均翼厚の８０％よりも小さいものであってもよく、より好ましくは、６０％よりも小さいものであってもよい。また、スラット延長部の平均翼厚は、本体部の平均翼厚の４０％よりも小さいものであってもよく、または、３０％よりも小さいものであってもよい。スラット延長部の平均翼厚比（翼厚対翼弦長比）は、本体部の平均翼厚比の１５０％よりも小さいものであってもよく、より好ましくは、１２０％よりも小さいものであってもよい。本発明の特定の実施形態において、スラット延長部は、本体部と比較して、その翼厚が翼弦長以上に比例的に減少するものである。したがって、スラット延長部の平均翼厚比は、本体部の平均翼厚比よりも小さいものであってもよい。スラット延長部の平均翼厚比は、本体部の平均翼厚比の９０％よりも小さいものであってもよい。スラット延長部の平均翼厚比は、本体部の平均翼厚比の８０％よりも小さいものであってもよく、または、７０％よりも小さいものであってもよい。
【００１８】
スラット延長部は、テーパー付きの端部を有するものであってもよい。スラット延長部の翼厚及び／又は翼弦長は、本体部の翼幅方向の端部からスラット延長部の端部に向かって徐々に減少するものであってもよい。
【００１９】
通常、前縁スラット／スラット延長部の翼厚は、容易に識別可能である。但し、これが不明の場合には、前縁スラット／スラット延長部の翼弦から前縁スラット／スラット延長部の上面への垂直方向の距離の最大値として定義することができる。
【００２０】
前縁スラットの本体部及び／又はスラット延長部は、その長さに沿って略一定の断面を有するものであってもよく、この場合、平均翼弦長及び平均翼厚は、本体部及び／スラット延長部の任意の断面における翼弦長及び翼厚と実質的に同一である。
【００２１】
翼は、例えばエンジン支柱または翼端装置のような構造物をさらに含み、スラット延長部は、本体部の上記構造物に最も近接する翼幅方向の端部に配置されるものであってもよい。前縁スラットは、その翼幅方向の両端部に配置された２つのスラット延長部を含むものであってもよい。
【００２２】
本発明の別の態様では、前縁スラットを含む航空機用翼が提供され、この前縁スラットは、翼幅方向の第１端部から翼幅方向の第２端部まで及ぶ連続する前縁を形成する前面と、前面の反対側に配置される背面とを含んでいる。背面は、第１部分と第２部分とを含み、第２部分は、第１部分に対して凹部となっている。前縁スラットの第２部分の翼厚は、第１部分の翼厚よりも小さい（例えば、第１部分の翼厚の９０％、好ましくは７５％よりも小さい）。第２部分は、前縁スラットの翼幅方向の端部に配置されるものであってもよい。凹部である第２部分は、単に背面における１つの段差として形成されるものであってもよい。
【００２３】
勿論、本発明のこの態様は、本発明の他の態様と同様の主題に関するものである。したがって、本発明のこの態様の特徴を、本発明の他の態様に組み込むことも、逆に、本発明の他の態様の特徴を、本発明のこの態様に組み込むこともできる。例えば、本発明のこの態様における前縁スラットの背面の第１部分は、本発明の他の態様における前縁スラットの本体部の一部をなすものであってもよい。また、本発明のこの態様における前縁スラットの背面の第２部分は、本発明の他の態様におけるスラット延長部の一部をなすものであってもよい。このように、本体部に関連させて記載された特徴は、前縁スラットの背面の第１部分を形成する前縁スラットの一部に関連させて、本発明のこの態様に組み込むことができ、その逆も可能である。同様に、本発明の他の態様におけるスラット延長部に関連させて記載された特徴は、前縁スラットの背面の第２部分を形成する本発明のこの態様における前縁スラットの一部に組み込むことができ、その逆も可能である。例えば、前縁スラットの第１部分の断面は、前縁スラットの第２部分の断面と同様の形状を有し、大きさが異なるものであってもよい。
【００２４】
航空機用翼は、それぞれが上記前縁スラットである複数の前縁スラットを含むものであってもよい。
【００２５】
本発明のさらに別の態様では、上記航空機用翼で使用するための前縁スラットが提供される。
【００２６】
本発明のさらに別の態様では、航空機用翼が提供される。この航空機用翼の前方領域の少なくとも一部は、上記前縁スラットを受け入れて補完する形状を有し、航空機用翼の前方領域の少なくとも一部は、第１領域と第２領域とを含んでいる。第１領域は、前縁スラットが航空機用翼に設定されたときに前縁スラットの本体部を補完する形状を有し、第２領域は、前縁スラットが航空機用翼に取り付けられたときに前縁スラットのスラット延長部を補完する形状を有しており、第２領域は、第１領域よりも突出する。比較的容積の大きい第２領域には、例えば様々な航空機システムの装置を収納することができる。したがって、この航空機用翼は、使用時に、航空機システムの装置の収納による有害な影響を必ずしもこうむることなく、翼に沿って比較的長く延びた前縁スラットが存在することによって空気力学的に改善される点で有利なものである。
【００２７】
本発明のさらに別の態様では、上記航空機用翼を含む航空機が提供される。この航空機は、乾燥重量で５０トンよりも重いものであってもよく、好ましくは、乾燥重量で２００トンよりも重いものであってもよい。この航空機は、７５人を超える乗客、より好ましくは、２００人を超える乗客を輸送するように設計された航空機と同等のサイズであってもよい。
【発明を実施するための最良の形態】
【００２８】
以下、添付図面を例示のための参考として使用して、本発明の様々な実施形態について説明する。
【００２９】
図１は、本発明の第１実施形態における航空機用翼１の一部を示す平面図である。この翼は、大型の商用航空機用の翼であり、翼本体３を含み、翼本体の前方領域には、前縁スラット５が取り付けられている。前縁スラット５は、本体部７と、本体部７の翼幅方向の端部に配置されたスラット延長部９を含む。
【００３０】
翼１は、２５度の後退角を有している。但し、図１は、明瞭化のため、翼の前縁が紙面を横切り、例示した翼弦Ｃが前縁に対して傾斜するような配向で描かれている。
【００３１】
スラット５は、周知の前縁スラットと同様に、スラットが翼本体３に接するように配置される収容位置と、スラット５が翼本体３から離れるように移動した展開位置（図１に示す位置）との間を移動可能なものである。スラットは、その使用時に、過度に急激な逆圧力勾配から翼の前部を保護し、それによって、航空機の比較的高い迎角での飛行が可能となる。このような空気力学的な利点は、当業者には周知の事項である。
【００３２】
スラット延長部９は、高迎角性能を改善する上で、スラット本体部７とほぼ同様の作用を有し、固定前縁に対して大幅な改善をもたらすことが分かった。このことは、３種の翼型構成について、二次元流における迎角（Ａｌｐｈａ）対揚力係数（ＣＬ）曲線を示した図２に、明瞭に示されている。図２に示す３種類の翼型構成は、スラットを備えていない非変形式（固定前縁）の翼型、本発明の実施形態に示す本体部に相当する形状および断面積を有するスラット（通常スラット）を備えた翼型、及び、本発明の実施形態に示すスラット延長部に相当する形状及び断面積を備えたスラット（短翼弦長スラット）を備えた翼型である。
【００３３】
図３は、スラット５の透視図である。本体部７及びスラット延長部９のそれぞれは、略一定の断面を有している。スラット延長部９は、本体部の翼幅方向の端部に配置されている。スラット延長部９は、接合部８で本体部７に当接し、スラットの断面積はこの接合部を横切って急激に変化する。
【００３４】
本体部７及びスラット延長部９は、使用時に自由空気流に曝される前面７ａ、９ａと、スラットの収容時に、翼本体３に接するように配置される背面７ｂ、９ｂを含む。スラット延長部９の前面９ａの前縁外形は、スラット延長部９に隣接する本体部７の前面７ａの前縁外形に相当する。加えて、スラット延長部の前縁は、本体部の前縁の一部と連続している。したがって、スラット５は、その全長に沿って滑らかな前縁を有している。
【００３５】
図４ａ及び図４ｂは、スラット５の２箇所の断面を示す断面図である。図４ａは、翼弦を含む第１垂直面Ａ−Ａ（図１参照）で切断した断面を示し、図４ｂは、翼弦を含む第２垂直面Ｂ−Ｂ（図１参照）で切断した断面を示す。ここで、翼弦Ｃは、翼に沿った全ての位置で略平行である（図１参照）。
【００３６】
図４ａには、３種の仮想的な外形が示されている。すなわち、スラット延長部９の断面が破線で示され、翼の非変形部（clean wing）１１の外形が点線で示され、翼本体のスラット延長部の真後ろにある領域１５の外形が一点鎖線で示されている。
【００３７】
スラット本体部７の断面はほぼ均一であり、０．５ｍの翼弦長Ｃ１と０．０６ｍの翼厚Ｔ１を有している。その翼厚比（翼厚対翼弦長比）Ｔ１／Ｃ１は、０．１２である。スラット延長部９の断面もほぼ均一であり、０．３ｍ（すなわち、Ｃ１の６０％）の翼弦長Ｃ２と０．０４５（すなわち、Ｔ１の７５％）の翼厚Ｔ２を有している。その翼厚比Ｔ２／Ｃ２は、０．１５（すなわち、Ｔ１／Ｃ１の１２５％）である。これによって、第２垂直面Ｂ−Ｂ内のスラット延長部９の断面積は、第１垂直面Ａ−Ａ内の本体部７の断面積の約３０％となる。
【００３８】
本体部７に対してスラット延長部９の断面積が小さいことにより、翼本体３のスラット延長部の背後の領域の容積を比較的大きくし、この領域の凹部を、翼本体のスラット本体部の背後の領域よりも浅くすることができる。これは、翼本体３のスラットが取り付けられる前方領域を示した図５に、最も明瞭に示されている。
【００３９】
図５に示すように、翼本体３は、翼の非変形部１１の前縁に対して凹部となる２つの領域を含む。但し、明瞭化のため、スラット展開機構の図示が省略されている。第１領域１３は、スラット５が翼に取り付けられたときに本体部７の背面７ａを補完する形状を有している。第２領域１５は、スラットが翼に取り付けられたときにスラット延長部９の背面９ａを補完する形状を有している。
【００４０】
本発明の第１実施形態において、第２領域１５が翼の非変形部１１から窪む距離は十分に小さく、第２領域を、エンジン支柱１７及びエンジン１９（図１参照）を支持するために必要な構造物に適合させることができる。したがって、航空機は、飛行中に、本体部７の長さに渡るスラット、及び、エンジン支柱１７に近接する領域（この領域は、スラット延長部９によって保護される）中のスラットから、有利な作用を得ることができる。これによって、翼に沿って初期フロー（premature flow）の劣化及び失速が生じる長さが、既存の航空機と比較して低減する。
【００４１】
本発明の第２実施形態（図示は省略する）では、スラット延長部の翼弦長をスラット本体部の翼弦長の５０％とし、スラット延長部の翼厚をスラット本体部の翼厚の４０％とする。この場合、スラット延長部の翼厚比は、スラット本体部の翼厚比の８０％となり、また、スラット延長部の断面積は、本体部の断面積の２０％となる。これによって、翼本体のスラット延長部の背後の領域は、航空機の徐氷システム及びスラットの展開用駆動部を収納するために十分な大きさとなる。これによって、航空機の様々なシステムを翼中に収納する能力を損なうことなく、第１の実施形態と同様に、飛行中に、本体部の長さに渡るスラット、及び、スラット延長部の長さに渡るスラットから、有利な作用を得ることができる。
【００４２】
また、本発明の第２実施形態における翼は、翼端装置も含むものである。前縁スラットは、翼端装置に近接する翼幅方向の他方の端部に、第２のスラット延長部を備えている。第２のスラット延長部は、翼本体の翼端装置構造体を支持する領域を保護する一方、翼端装置支持構造体の大きさ及び強度を損なわないために十分小さい断面積を有するものである。
【００４３】
本発明の第３実施形態に従う航空機は、主として、第１実施形態に関連して上述したものと同様であるが、スラット延長部が、ブレンド領域を介して本体部にブレンドされるように形成される点で相違する。スラット延長部の断面積は、ブレンド領域において、本体部に隣接する部分の断面積から、その５０％の値にまで徐々に減少する。スラット延長部の残りの部分は、一定の断面積（本体部の断面積の５０％に等しい）を有する領域である中央部と、中央部の最外端の外側に存在するテーパー領域からなる。テーパー領域におけるスラット延長部の翼厚は、その長さに沿って徐々に減少する。
【００４４】
翼本体は、スラットに対応する形状を有しており、スラットに適合する凹部はブレンド領域にわたって徐々に減少し、また、テーパー領域にわたって徐々に減少する。本発明の第３実施形態に従う翼は、既知の航空機用翼と比較して、翼本体のスラット延長部の背後の容積を大きくすることを可能にしつつ、長いスラットと、空気力学上有利なスラット端部の構成を備えるものである。
【００４５】
以上、本発明を特定の実施形態に関連させて説明及び図示したが、本発明が、本明細書に記載されていない多様な変形に適することは、当業者には明らかである。上述した説明には、既知の、明白な、または予測可能な均等物を有する要素が記載されており、このような均等物は、それらが個別に記載されたものとして本明細書に含まれる。本発明の真の範囲は、任意の均等物を包含するものとして解釈するべきであり、本発明の真の範囲を判別するためには、請求項を参照しなければならない。また、好適な、有利な、または便利な、等々として記載された本発明の要素または特徴は、任意に選択可能なものであり、独立請求項の範囲を限定するものではないことも明らかである。
【図面の簡単な説明】
【００４６】
【図１】図１は、本発明の第１実施形態における航空機用翼の一部を示す平面図である。
【図２】図２は、３種の翼型構成について、ＣＬ−Ａｌｐｈａ曲線をプロットしたグラフである。
【図３】図３は、本発明の第１実施形態における前縁スラットを示す透視図である。
【図４】図４ａ及び図４ｂは、本発明の第１実施形態における航空機用翼を示す断面図である。
【図５】図５は、本発明の第１実施形態における翼本体の前方領域を示す透視図である。
【図１】
2009528220.tif 000003
【図２】
2009528220.tif 000004
【図３】
2009528220.tif 000005
【図４ａ】
2009528220.tif 000006
【図４ｂ】
2009528220.tif 000007
【図５】
2009528220.tif 000008
【国際調査報告】
2009528220.tif 000009
2009528220.tif 000010
2009528220.tif 000011